(57)【要約】【課題】風袋を用いても実質的な測定範囲を減少させることのない電磁力平衡型の電子天びんを提供する。【解決手段】電磁力発生装置３の磁気回路３ａが作る静磁場中に、測定用コイル３ｂとは別に風袋引き用コイル３ｃを配置し、その風袋引き用コイル３ｃに対し、風袋重量を記憶する記憶手段１４の内容に基づき、風袋重量を釣り合わせる電磁力を発生するような電流を流すことにより、風袋を用いても測定範囲を減少させることなく計量することを可能とする。【選択図】  図１
2004219349.tif 000002
【特許請求の範囲】
【請求項１】
磁気回路が作る静磁場中に測定用のコイルを配置し、そのコイルに電流を流すことによって発生する電磁力を、レバーを介して被測定荷重に釣り合わせ、その釣合い状態で上記コイルに流れる電流の大きさから被測定荷重を計測する電磁力平衡型の電子天びんにおいて、
上記静磁場中に、上記コイルとは別に風袋引き用のコイルが配置されているとともに、風袋量を記憶する記憶手段を備え、指令の付与により、その記憶手段の内容に基づいて、風袋量相当の荷重に釣り合う電磁力を発生させるべく上記風袋引き用のコイルに電流を流すように構成されていることを特徴とする電子天びん。
【発明の詳細な説明】
【０００１】
【発明の属する技術分野】
本発明は電磁力平衡型の電子天びんに関する。
【０００２】
【従来の技術】
電磁力平衡型の電子天びんにおいては、一般に、図２に模式的に示すように、支点２１ａを中心として傾動自在のレバー２１の一端側に被測定荷重を載せるための皿２２を係合させるとともに、そのレバー２１の他端側には、電磁力発生装置２３による電磁力を作用させることにより、被測定荷重によるレバー２１の傾きを打ち消して釣り合わせる。そして、その釣り合わせに要した電磁力の大きさから、被測定荷重を検出する。
【０００３】
電磁力発生装置２３は、磁気回路２３ａが作る静磁場中にコイル２３ｂを設けた構造を有し、そのコイル２３ｂに流す電流の大きさに対応した電磁力を発生する。レバー２１の釣合い状態は変位センサ２４により検出され、その検出結果を用いたフィードバック制御によりコイル２３ｂに流す電流が制御される。被測定荷重の大きさは、レバー２１の釣合い状態においてコイル２３ｂに流れる電流の値から求められる（例えば特許文献１参照）。
【０００４】
また、電子天びんにおいては、通常、実際の皿上荷重から風袋量を減じた値を表示する、いわゆる風袋引き機能を備えている。この風袋引き処理においては、風袋を皿上に載せた状態でキーを操作することにより、その状態における計量値を風袋量として記憶し、以後、皿上荷重の実際の計量結果からその風袋量を減算した荷重値を計量値として表示する（例えば特許文献２参照）。
【０００５】
【特許文献１】
特開昭６３−３２２７号公報（第２−第４頁，第２図）
【特許文献２】
特開平５−２３１９１７号公報（第２−第３頁，図１，図４）
【０００６】
【発明が解決しようとする課題】
ところで、上記した風袋引き機能を持つ電子天びんでは、電磁力発生用の上記したコイルに流す電流量の使用限界から決まるひょう量（最大測定量）は一定であり、実質的な測定範囲はひょう量から風袋量を減じた範囲となる。すなわち、図２において、電子天びんのひょう量Ｍは、磁気回路２３ａ中に置かれたコイル２３ｂに流すことのできる最大の電流量に基づく、発生電磁力の最大値ｆ１  によって決まり、風袋を用いる場合、その重量をｍとすると、実質的な測定範囲はＭ−ｍとなってしまう。
【０００７】
本発明はこのような実情に鑑みてなされたもので、風袋を用いても実質的な測定範囲を減少させることのない電子天びんの提供を目的としている。
【０００８】
【課題を解決するための手段】
上記の目的を達成するため、本発明の電子天びんは、磁気回路が作る静磁場中に測定用のコイルを配置し、そのコイルに電流を流すことによって発生する電磁力を、レバーを介して被測定荷重に釣り合わせ、その釣合い状態で上記コイルに流れる電流の大きさから被測定荷重を計測する電磁力平衡型の電子天びんにおいて、上記静磁場中に、上記コイルとは別に風袋引き用のコイルが配置されているとともに、風袋量を記憶する記憶手段を備え、指令の付与により、その記憶手段の内容に基づいて、風袋量相当の荷重に釣り合う電磁力を発生させるべく上記風袋引き用のコイルに電流を流すように構成されていることによって特徴づけられる。
【０００９】
本発明は、電磁力発生装置の磁気回路中に、測定用のコイルとは別に風袋引き用のコイルを設け、その風袋引き用のコイルに電流を流して風袋重量相当分の電磁力を発生し、実質的にバランス点をずらすことによって所期の目的を達成しようとするものである。
【００１０】
すなわち、電磁力発生装置の磁気回路中に、従来と同様にレバーの変位の検出結果を用いたフィードバック制御により流れる電流が制御される測定用のコイルのほかに、記憶手段に記憶された風袋量相当の荷重に釣り合う電磁力を発生するための風袋引き用のコイルを配置する。この風袋引き用のコイルに該当の電流を流した状態では、皿上に風袋のみを載せた状態で釣合い状態となる。従ってこの状態では、レバーの変位の検出結果を用いたフィードバック制御により流れる電流が制御される測定用のコイルには、被測定荷重を釣り合わせるための電流は流れず、無負荷状態と同等となる。よって、皿上に風袋を載せた状態においても、測定用のコイルには更にひょう量相当分だけの電流を流すことが可能となり、レバーの弾性支点などの弾性要素の使用限界内である限りにおいて、風袋を載せても実質的に測定範囲を減少させることなく計量を行うことができる。
【００１１】
【発明の実施の形態】
以下、図面を参照しつつ本発明の実施の形態について説明する。
図１は本発明の実施の形態の構成図で、機械的構成を表す模式図と電気的構成を表すブロック図とを併記して示す図である。
【００１２】
支点１ａを中心として傾動自在にレバー１の一端側に皿２が係合しており、このレバー１の他端側に、電磁力発生装置３の電磁力が伝達される。電磁力発生装置３は、静磁場を作るための磁気回路３ａと、レバー１に取り付けられた測定用コイル３ｂおよび風袋引き用コイル３ｃによって構成されている。
【００１３】
測定用コイル３ｂは、従来のこの種の電子天びんにおけるコイルと同等であり、レバー１の釣合い状態を検出する変位センサ４の出力を用いたフィードバック制御により、流れる電流が制御される。すなわち、変位センサ４の出力はＰＩＤ調節部５によりＰＩＤ（比例・積分・微分）処理が施された後、測定用電流発生部６に供給され、この測定用電流発生部６では、その入力信号に応じた電流を発生して測定用コイル３ｂに流す。この測定用コイル３ｂに流れる電流は精密抵抗７によって電圧信号に変換された後、Ａ−Ｄ変換器８によってデジタル化され、計量値演算部９に取り込まれる。計量値演算部９では、そのデジタルデータを感度係数を用いて荷重値に換算し、計量値として表示器１０に表示する。
【００１４】
一方、風袋引き用コイル３ｃには、風袋引き用電流発生部１１から供給される一定の電流が流される。風袋引き用電流発生部１１は、風袋引き制御部１２から供給される制御信号によって動作するものであり、風袋引き制御部１２は、測定範囲変更キー１３を操作することによって、後述する風袋メモリ１４に格納されている風袋重量を用いて決定される電流が風袋引き用コイル３ｃに流れるように風袋引き電流発生部１２に制御信号を供給する。
【００１５】
風袋メモリ１４には、皿２上に風袋を載せた状態で風袋キー１５を操作することによって、その時点における計量値データが風袋重量として格納される。この風袋メモリ１４に風袋重量を格納した状態で、測定範囲変更キー１３を操作していない状態においては、測定用コイル３ｂに流れる電流値に基づいて算出された計量値から、風袋メモリ１４に格納されている風袋重量を減算した値が表示器１０に表示される。
【００１６】
風袋メモリ１４に風袋重量を格納している状態で測定範囲変更キー１３を操作すると、風袋引き制御部１２では、風袋メモリ１４に格納されている風袋重量を釣り合わせる大きさの電磁力が発生するように、あらかじめ感度および直線性等の較正が施された風袋引き用コイル３ｃに該当の電流を流す。この状態では、風袋重量相当分の電磁力をレバー１に作用させているので、測定用コイル３ｂに流れる電流は、皿２上の荷重から風袋重量を減じた荷重を釣り合わせる電流が流れることになる。従って測定範囲変更キー１３を操作した状態においては、計量値演算部９では、測定用コイル３ｂに流れる電流値に基づいて算出された計量値をそのまま表示器１０に表示する。
【００１７】
以上の本発明の実施の形態によれば、測定範囲変更キー１３を操作することにより、測定用コイル３ｂに流れる電流は風袋重量相当分だけ減じられることになり、従って、この測定用コイル３ｂには、本来のひょう量相当分までの電流を流すことが可能となり、ひょう量をＭとし、風袋重量をｍとしたとき、皿２上にＭ＋ｍまで載せた状態で測定範囲をひょう量Ｍと等しい量とすることができる。
【００１８】
【発明の効果】
以上のように、本発明によれば、電磁力発生装置の静磁場内に測定用コイルとは別に風袋引き用のコイルを配置し、その風袋引き用のコイルに風袋量相当分の電流を流して釣り合わせるので、風袋を用いた計量作業においても、測定用コイルには本来のひょう量相当分の電流を流すことが可能となり、ひょう量を減少させることなく計量を行うことができる。
【図面の簡単な説明】
【図１】本発明の実施の形態の構成図で、機械的構成を表す模式図と電気的構成を表すブロック図とを併記して示す図である。
【図２】従来の電磁力平衡型の電子天びんの構成例を示す模式図である。
【符号の説明】
１  レバー
２  皿
３  電磁力発生装置
３ａ  磁気回路
３ｂ  測定用コイル
３ｃ  風袋引き用コイル
４  変位センサ
５  ＰＩＤ調節部
６  測定用電流発生部
９  計量値演算部
１０  表示器
１１  風袋引き用電流発生部
１２  風袋引き制御部
１３  測定範囲変更キー
１４  風袋メモリ
１５  風袋キー
【図１】
2004219349.tif 000003
【図２】
2004219349.tif 000004